(57)【要約】      （修正有）【課題】本体部分を斜めに傾け、端子形成面にかかるように指で把持して、電子部品を安定して取り出すことができる電子部品用トレイを提供する。【解決手段】樹脂パッケージ３１と前記樹脂パッケージ３１の第１の主面３４から導出された端子３２とを有する電子部品を収納する凹部で構成された収納部を有する電子部品用トレイであって、前記収納部が、底面１と、前記底面１の周縁部から起立せしめられた側壁部２と、前記底面１から前記端子３２の導出部分よりも高い位置で、前記第１の主面３４の一部を係止することで、前記端子３２の先端が前記底面１に接触しないように、前記電子部品の前記第１の主面３４を支持する係止面３とを具備し、前記収納部の開口において、前記電子部品が、回転可能なように、前記側壁部との間に間隙８を有し、前記側壁部の一部が、前記電子部品の外形よりも大きく形成される。【選択図】図４
2010280404.tif 000002
【特許請求の範囲】
【請求項１】
樹脂パッケージと前記樹脂パッケージの第１の主面から導出された端子とを有する電子部品を収納する凹部で構成された収納部を有する電子部品用トレイであって、
前記収納部が、
底面と、
前記底面の周縁部から起立せしめられた側壁部と、
前記底面から前記端子の導出部分よりも高い位置で、前記第１の主面の一部を係止することで、前記端子の先端が前記底面に接触しないように、前記電子部品の前記第１の主面を支持する係止面とを具備し、
前記収納部の開口において、前記電子部品と前記側壁部との間で前記電子部品が回転可能な程度の間隙をもつように、前記側壁部の一部が、前記電子部品の外形よりも大きく形成された電子部品用トレイ。
【請求項２】
請求項１に記載の電子部品用トレイであって、
前記係止面から前記底面に至る係止壁が、前記間隙を持つように前記電子部品を配置した状態で前記電子部品を回転し得るように、切除部を有する電子部品用トレイ。
【請求項３】
請求項１に記載の電子部品用トレイであって、
前記係止面から前記底面に至る係止壁が、前記間隙を持つように前記電子部品を配置した状態で前記電子部品を回転し得るように、テーパ面を構成する電子部品用トレイ。
【請求項４】
請求項１乃至３のいずれかに記載の電子部品用トレイであって、
前記電子部品は、前記第１の主面上で、前記端子のうち少なくともひとつが非対称位置に形成されており、前記係止部は前記端子の位置を規制するように、非対称位置に形成された電子部品用トレイ。
【請求項５】
請求項１乃至４のいずれかに記載の電子部品用トレイであって、
前記収納部は、長方形の開口をもち、
前記間隙が、前記樹脂パッケージの１辺と、側面の対角線長との差よりも大きく形成され、
前記電子部品の前記樹脂パッケージの厚さ分が、前記開口よりも外に出るように、前記電子部品が前記収納部内で回転可能に形成された電子部品用トレイ。
【発明の詳細な説明】
【技術分野】
【０００１】
本発明は、電子部品用トレイに係り、特に電磁リレーなど薄型の電子部品を収納するためのトレイに関する。
【背景技術】
【０００２】
電磁スイッチなど、端子を有する電子部品を搬送するために用いられるトレイは、ポリプロピレン、ポリカーボネートなどの樹脂材料やポリスチレン樹脂を用いて形成され、搬送用のみならず、保管用としても使用されている。
【０００３】
端子を有する電子部品用のトレイとして、ＩＣトレイの収納領域の底板に台を設け、更に側壁に、ＩＣ（半導体集積回路）を介して対向する位置に一対の切り込みを設け、ＩＣを指で掴みやすくしたものが提案されている（特許文献１）。
【０００４】
例えば図９乃至図１１に電子部品用トレイの一例を示す。図９は要部拡大図、図１０は全体上面図、図１１は収納状態および取り出し時の状態を示す断面説明図である。ここで収納トレイ１１０は、薄型の電子部品１３０を収納するための収納部Ｒ１を多数配列形成したもので、この電子部品を取り出しやすくするものである。なお、この収納トレイ１１０は、収納部Ｒ１が、底面１０１と、底面１０１の周縁部から起立せしめられた係止壁１０２としての側壁部とを有している。また、電子部品を取り出しやすくするための切り込み１０４が形成されている。
図１１（ａ）および（ｂ）に取り出す際の収納部Ｒ１の断面図を示すように、ＩＣなどの電子部品の樹脂パッケージ（本体部分）１３１が薄い場合、切り込み１０４があっても指で把持することが困難であった。そこで収納トレイ上で回転できると把持が容易となるが、図１１に示すように、樹脂パッケージが引っ掛かり、樹脂パッケージ１３１の端子１３２導出面である第１の主面１３４を把持するのが困難であるという問題があった。
【先行技術文献】
【特許文献】
【０００５】
【特許文献１】実開平５−０３１２４１号公報
【発明の概要】
【発明が解決しようとする課題】
【０００６】
以上説明したように、上記特許文献１の収納トレイでは、ＩＣの樹脂パッケージ（本体部分）が薄い場合、切り込みがあっても指で把持することが困難であった。
また、本体部分が薄型化するにしたがい、切り込みを大きくすると安定に収納することが困難となる。また切り込みの深さについても、本体部分の厚さ程度に深くしなければ指で把持するのが難しい。
言い換えると、特に本体部分の厚みが薄い電子部品では、端子の形成された裏面にかかるように指で把持しなければ、安定に把持することが困難である。
本発明は、前記実情に鑑みてなされたもので、本体部分を斜めに傾け、端子形成面にかかるように指で把持して、電子部品を安定して取り出すことができる電子部品用トレイを提供することを目的とする。
【課題を解決するための手段】
【０００７】
そこで本発明は、樹脂パッケージと前記樹脂パッケージの第１の主面から導出された端子とを有する電子部品を収納する凹部で構成された収納部を有する電子部品用トレイであって、前記収納部が、底面と、前記底面の周縁部から起立せしめられた側壁部と、前記底面から前記端子の導出部分よりも高い位置で、前記第１の主面の一部を係止することで、前記端子の先端が前記底面に接触しないように、前記電子部品の前記第１の主面を支持する係止面とを具備し、前記収納部の開口において、前記電子部品が、回転可能なように、前記側壁部との間に間隙を有し、前記側壁部の一部が、前記電子部品の外形よりも大きく形成されたことを特徴とする。
この構成により、電子部品を回転させ、斜めに取り出すことで、樹脂パッケージの第１の主面に到達するように指で把持することができ、確実に把持することが可能となる。
【０００８】
また、本発明は、上記電子部品用トレイにおいて、前記係止面から前記底面に至る係止壁が、前記間隙を持つように前記電子部品を配置した状態で前記電子部品を回転し得るように、切除部を有する。
この構成により、端子の位置に対応して係止壁に切除部を形成することで、係止壁に干渉して、電子部品が回転できなくならないようにすることができ、電子部品を斜めに取り出すことで、樹脂パッケージの第１の主面に到達するように指で把持することができ、確実に把持することが可能となる。
【０００９】
また、本発明は、上記電子部品用トレイにおいて、前記係止面から前記底面に至る係止壁が、前記間隙を持つように前記電子部品を配置した状態で前記電子部品を回転し得るように、テーパ面を構成する。
この構成により、係止壁を含む係止面の強度を維持しつつ、電子部品を安定に収納することが可能となる。またこのテーパ面を、電子部品を回転する際に端子の先端を導くガイド面として利用することも可能である。
【００１０】
また、本発明は、上記電子部品用トレイにおいて、前記電子部品は、前記第１の主面上で、前記端子のうち少なくともひとつが非対称位置に形成されており、前記係止部は前記端子の位置を規制するように、非対称位置に形成される。
この構成により、電子部品を電子部品用トレイの収納部に収納する際、端子が係止部に接触することにより、電子部品の収納方向を一方向に規制することができ、収納作業性を向上することが可能となる。
【００１１】
また、本発明は、上記電子部品用トレイにおいて、前記収納部は、長方形の開口をもち、前記間隙が、前記樹脂パッケージの１辺と、側面の対角線長との差よりも大きく形成され、前記電子部品の前記樹脂パッケージの厚さ分が、前記開口よりも外に出るように、前記電子部品が前記収納部内で回転可能に形成される。
この構成により、長方形の開口の１辺を支点として、電子部品が回転し、樹脂パッケージの第１の主面に指が到達するように、把持することができ、効率よく確実に取り出す頃ができる。
【発明の効果】
【００１２】
以上説明してきたように、本発明の収納トレイは、薄型の電子部品であっても、確実に収納することができ、かつ回転により、極めて効率よく取り出すことができる。
【図面の簡単な説明】
【００１３】
【図１】本発明の実施の形態の収納トレイを示す斜視図
【図２】本発明の実施の形態の収納トレイを示す上面図
【図３】本発明の実施の形態の収納トレイの収納部の要部断面図
【図４】本発明の実施の形態の収納トレイの収納部から電子部品を取り出すときの様子を示す図
【図５】本発明の実施の形態の収納トレイに収納される部品の一例を示す図、（ａ）は上面図、（ｂ）は側面図、（ｃ）は下面図
【図６】本発明の実施の形態の収納トレイに収納される部品の斜視図
【図７】本発明の実施の形態の収納トレイを示す上面説明図
【図８】本発明の実施の形態の収納トレイを示す要部上面説明図
【図９】従来例の収納トレイを示す要部上面説明図
【図１０】従来例の収納トレイを示す上面図
【図１１】従来例の収納トレイの収納部から電子部品を取り出すときの様子を示す図
【発明を実施するための形態】
【００１４】
以下本発明の実施の形態について図面を参照しつつ詳細に説明する。
図１は本発明の実施の形態の収納トレイの全体斜視図、図２は同収納トレイの上面図、図３は図２のＡ−Ａ断面図、図４は、電子部品としての電磁リレー３０を収納トレイの収納部から取り出す過程を示す説明図、図５はこの電磁リレーを示す図、図６は同電磁リレーの斜視図である。図５（ａ）は上面図、（ｂ）は側面図、（ｃ）は下面図である。
本発明の収納トレイ１０は、薄型の電子部品としての電磁リレー３０を収納するための収納部Ｒ１を多数配列形成したもので、この電子部品を取り出しやすくするものである。なお、この収納トレイ１０は、紙製のふた付き箱２０に収納されている。
ここでこの収納トレイ１０は、収納部Ｒ１が、底面１と、底面１の周縁部から起立せしめられた係止壁２としての側壁部と、電磁リレー３０を係止する係止面３とを具備し、この収納部Ｒ１の開口において、係止壁２との間で電磁リレー３０が回転可能なように、電磁リレー３０と間隙８を有しており、係止壁２の一部が電磁リレー３０の外形よりも大きく形成されたことを特徴とする。４は取り出しを容易にするための切り込みである。
【００１５】
ここで電磁リレー３０は、図５および図６に示すように、薄型直方体のエポキシ樹脂製の樹脂パッケージ３１と、この樹脂パッケージ３１から、非対称位置に導出された４本の端子３２とを有している。そして第１の主面３４と、これと対向する第２の主面３３とを具備し、第１の主面から端子３２が導出されている。そしてこの端子３２の導出された第１の主面３４は、収納トレイ１０の凹部に設けられた係止片５と、上記係止面３とで係止され、端子３２が収納部Ｒ１内に空間的に保持された状態となっている。
【００１６】
ここで収納部Ｒ１は、底面１から電磁リレー３０の端子３２の導出部分の長さよりも高い位置で、第１の主面３４の一部を係止することで、端子３２の先端が底面１に接触しないように、前記電磁リレー３０の第１の主面３４を支持する係止面３とを具備し、収納部Ｒ１の開口において、前記電子部品と前記側壁部との間に間隙をもつように、前記側壁部の一部が、電磁リレー３０の外形よりも大きく形成されており、電磁リレー３０が回転可能である。
【００１７】
そして図３に電磁リレー３０の収納部への収納状況を示す。ここで樹脂パッケージ３１は１辺の長さをＷ１、高さをＨ、側面の対角線の長さをＷ４としたとき、間隙Ｗ３＞Ｗ４−Ｗ１となるようにしている。
このように、開口部の幅Ｗ２が側面の対角線の長さＷ４よりも大きくなるように形成することで、間隙８を間隙幅Ｗ３＝Ｗ２−Ｗ１＞Ｗ４−Ｗ１を満たすように形成する。かかる構成をとることで、図４（ａ）および（ｂ）に示すように、開口部で電磁リレー３０が回転可能となり、切り込み４（図１参照）から指をいれ、電磁リレー３０を傾けて指を第１の面まで到達させることができ、薄型の樹脂パッケージについても安定に把持することができる。ここでは開口の１辺を支点Ｐとして回転可能となっている。この間隙幅Ｗ３は把持具が入る程度の大きさが有効である。
【００１８】
このように、端子３２の位置に対応して係止壁２に切除部を形成することで、係止壁２に干渉して、電磁リレー３０が回転できなくならないようにすることができ、電磁リレー３０を斜めに取り出すことで、樹脂パッケージ３１の第１の主面３４に到達するように指で把持することができ、確実に把持することが可能となる。
【００１９】
また、係止壁２がテーパ面を構成しているため、係止壁２および係止面３の強度を維持しつつ、電磁リレー３０を安定に収納することが可能となる。またこのテーパ面を、電磁リレー３０を回転する際に端子の先端を導くガイド面として利用することも可能である。
【００２０】
また、電子部品用トレイ１０において、電磁リレー３０を電子部品用トレイの収納部Ｒ１に収納する際、端子３２が係止壁２、係止面３および係止片５からなる係止部に接触することにより、電磁リレー３０の収納方向を一方向に規制することができ、収納作業性を向上することが可能となる。
【００２１】
このように収納部Ｒ１は、前記間隙が、前記樹脂パッケージ３１の１辺と、側面の対角線長との差よりも大きく形成され、前記電磁リレー３０の前記樹脂パッケージ３１の厚さ分が、前記開口よりも外に出るように、前記電磁リレーが前記収納領域内で回転可能に形成されている。
【００２２】
また図７に示すように、収納部Ｒ１は係止壁２、係止面３、係止片５が、非対称に配置されており、電磁リレー３０の端子３２が接触することで、電磁リレーの収納方向が一方向に規制可能となる。５は係止片である。
従って図８に示すように、電磁リレー３０の向きを反対にすると、係止壁２に端子３２がぶつかり、収納できない。従って図７に示すように整列して収納されるようにすることができる。
【００２３】
なお、係止壁３は切除部を形成していてもよいし、テーパ面であってかつ切除部９(図３)を構成していてもよい。
このように、端子の位置に対応して係止壁に切除部を形成することで、係止壁に干渉して、電子部品が回転できなくならないようにすることができ、電子部品を斜めに取り出すことで、樹脂パッケージの第１の主面に到達するように指で把持することができ、確実に把持することが可能となる。
【００２４】
なお、前記実施の形態では、電磁リレーの収納用トレイについて説明したが、電磁リレーに限定されることなく、適宜変更可能であり、特に薄型のパッケージの場合に有効である。
【符号の説明】
【００２５】
１  底面
２  係止壁
３  係止面
４  切り込み
５  係止片
８  間隙
９  切除部
１０  収納トレイ
２０  紙製のふた付き箱
３０  電磁リレー
３１  樹脂パッケージ
３２  端子
３３  第２の主面
３４  第１の主面
【図１】
2010280404.tif 000003
【図２】
2010280404.tif 000004
【図３】
2010280404.tif 000005
【図４】
2010280404.tif 000006
【図５】
2010280404.tif 000007
【図６】
2010280404.tif 000008
【図７】
2010280404.tif 000009
【図８】
2010280404.tif 000010
【図９】
2010280404.tif 000011
【図１０】
2010280404.tif 000012
【図１１】
2010280404.tif 000013